(57)【要約】【課題】小型で、構造簡単でありながら、僅かのエネルギーでもって、隣人からの（隣人への）煙害を出来るだけ少なくすること。【解決手段】卓上用又は携帯用として用い得る小型の草煙偏向装置であって、二つ折り可能なベース本体部分と蓋側本体部分からなる本体ケースの内部に、電動モーターと該電動モーターを駆動するバッテリー、ファンを内蔵させ、前記本体ケースの一側部から室内空気を吸引し、他側部から排出して漂っている草煙の流れ方向を誘導し、偏向させる。【選択図】図１
0003160763.tif 000002
【実用新案登録請求の範囲】
【請求項１】
卓上用又は携帯用として用い得る小型の草煙偏向装置であって、
本体ケース（１）が、横軸心の枢支部Ｐ１で枢支連結された二つ折り可能なベース本体部分（１Ａ）と蓋側本体部分（１Ｂ）とから構成され、
前記本体ケース（１）に、電動モーター（２）、ファン（３）、バッテリー（６）が内蔵されると共に少なくとも前記バッテリー（６）が前記ベース本体部分（１Ａ）に内蔵され
前記電動モーター（２）によりファン（３）を回転駆動させるように構成されており、
前記本体ケース（１）に、その一側部（１ａ）から室内空気を吸引する吸引口（１ｃ）が設けられ、他側部（１ｂ）から排出する排出口（１ｄ）が設けられ、
前記吸引口（１ｃ）と排出口（１ｄ）とを通気路（４）により接続されている、
ことを特徴とする小型の草煙偏向装置。
【請求項２】
前記電動モーター（２）及びファン（３）が前記ベース本体部分（１Ａ）に内蔵され、前記通気路（４）が、前記ベース本体部分（１Ａ）と蓋側本体部分（１Ｂ）とに亘って、摺接する円弧状ハウジング部（１３）、（１４）を介して形成され、前記ベース本体部分（１Ａ）と蓋側本体部分（１Ｂ）の所要角度の二つ折りに際しても通気が確保されるように構成されている、
ことを特徴とする請求項１に記載の小型の草煙偏向装置。
【請求項３】
前記電動モーター（２）及びファン（３）が前記蓋側本体部分（１Ｂ）に内蔵され、且つ、前記吸引口（１ｃ）と排出口（１ｄ）及び前記通気路（４）が共に前記蓋側本体部分（１Ｂ）に設けられている、
ことを特徴とする請求項１に記載の小型の草煙偏向装置。
【考案の詳細な説明】
【考案の詳細な説明】
【技術分野】
【０００１】  本考案は、小型の草煙偏向装置に関し、詳しくは、隣人による煙草の煙害を避けるための装置に関する。
【背景技術】
【０００２】  煙草による煙害が問題となって久しく、最近では、公共施設、公共交通機関での禁煙政策が施行されるに至っている。喫茶店等の飲食店では、喫煙者との隣席は珍しくなく、結果として、７割強の人々が受動喫煙に曝されているのが現実であり、主流煙及び副流煙（発火点からの煙で、特に有害とされている）による直接的な不快感はもとより、目に対する影響、頭痛など健康上の問題が発生している。そこで、その解決手段として、喫煙者のために喫煙場所を確保したり、非喫煙者（受動喫煙者）の保護のために禁煙場所を指定したり、更には、空気清浄機を設置し、煙草の煙を吸引して排出し、また、フィルターにかけ、或いは活性炭等により脱臭を行う等の工夫が提案され、実施されている。【０００３】  こうした中で、物理的（機械的）手段を用いて煙害を防止する方法が多く提案されているが、一般に、空気清浄機（室外への排風）を用いるのが普通であるが、フィルターを備えた室内循環を行う小型のものも提案されている。この種の空気清浄機（排風）は、考え方として、煙草の煙を強制的に吸引し、フィルターにかけて後に外気或いは室内に排出する構成とされている。【０００４】  小型の従来技術としては、内蔵ファンとフィルターによる灰皿、携帯用空気清浄機などが提案されている。
【特許文献１】特開平９−３１３１５８
【特許文献２】特開２００６−５５２２７
【考案の開示】
【考案が解決しようとする課題】
【０００５】  従って、例えば、この空気清浄機（排風）を室内（喫茶店や事務所）の中央に設置しても、コーナーに設置しても、各所で発生される煙草の煙は、周囲から空間を横切ってその吸引口から吸引されることになり、結果として、煙草の煙は、空間移動においてその間の人々の間を通り抜けてくることになるのであり、その間の人々にとって煙害を回避できているとは言えないのである。【０００６】  また、この種の空気清浄機（排風）は、大量の空気を吸引する方式であるために、多大のエネルギーを必要とし、また、喫煙者の有無に関わらず運転するものであるから、運転コスト上も問題であり、また、室内の冷暖房の効率にも影響を与える虞もある。【０００７】  更に、上述した灰皿型の草煙除去装置では、フィルターの設置、取替えが必要であるし、フィルターの圧損を考えると比較的強力な電動モーターも必要であり、大きなエネルギーを必要とする。
また、単に携帯用の体裁を採っていても、草煙を吸引し、排出するという方式では、基本的に前述の装置と同様に大きなエネルギーを要するのであり、加えて、それが草煙除去装置であると人目で分かるようでは、喫煙者に対して悪い印象を与えてしまう。【０００８】  本考案は、かかる問題点に鑑み、簡単な構造でありながら、僅かのエネルギーでもって、喫煙場所における隣人からの（隣人への）煙害を出来るだけ少なくすることが出来る小型の草煙偏向装置を提供することを目的とする。
【課題を解決するための手段】
【０００９】  本考案にかかる小型の草煙偏向装置は、上記目的を達成するために、卓上用又は携帯用として用い得る小型の草煙偏向装置であって、
本体ケース（１）が、横軸心の枢支部Ｐ１で枢支連結された二つ折り可能なベース本体部分（１Ａ）と蓋側本体部分（１Ｂ）とから構成され、
前記本体ケース（１）に、電動モーター（２）、ファン（３）、バッテリー（６）が内蔵されると共に少なくとも前記バッテリー（６）が前記ベース本体部分（１Ａ）に内蔵され
前記電動モーター（２）によりファン（３）を回転駆動させるように構成されており、
前記本体ケース（１）に、その一側部（１Ａ）から室内空気を吸引する吸引口（１Ｃ）が設けられ、他側部（１Ｂ）から排出する排出口（１Ｄ）が設けられ、
前記吸引口（１Ｃ）と排出口（１Ｄ）とを通気路（４）により接続されている、
という手段を講じたものである。【００１０】  本考案にいう草煙偏向とは、主に、吸引排気した空気流によって、漂ってくる煙草の煙（主流煙及び副流煙）の流れを変えることを意味するが、その空気流に、漂ってくる煙草の煙（紫煙など）自体も含まれる場合もあり、従って、草煙を含む空気流により草煙を偏向させる場合も含まれるのである。
【考案の効果】
【００１１】  本考案によれば、構造もシンプルで、非常に小型（ほぼ手の平サイズ或いはこれに準じたサイズ）で、消費エネルギーも小さい装置でありながら、喫煙者から漂い出る草煙（煙草の煙）の方向を、少量の空気流でもって所定の方向に偏向させることができ、非喫煙者側に近づくのを阻止して煙害を未然に回避させることができる。【００１２】  このような局所的な草煙排除であるが故に、喫茶店のテーブル上などの個々の所要箇所でのみ稼動させればよく、この点においてもエネルギー効率が良い。また、非常に小型であるため、恰もゲーム機や携帯電話の如き体裁を採ることができて、これが草煙偏向装置であることに気付かれる虞も少なく、従って、喫煙者に対して嫌悪感を抱かせるという虞も少ない。また、この装置は、近隣の非喫煙者に対する配慮として、喫煙者自身が使用してもよい。
また、本考案においては、少なくとも重量あるバッテリーをベース本体部分に設けるので、蓋側本体部分の所要角度の折り曲げによっても、全体を安定姿勢で設置できて使用することができる。
本考案のその他の効果は、以下の説明から明らかとなろう。
【考案を実施するための最良の形態】
【００１３】  本考案の実施に際しては、次の手段を採るのが好ましい。
先ず、前記電動モーター（２）及びファン（３）が前記ベース本体部分（１Ａ）に内蔵され、前記通気路（４）が、前記ベース本体部分（１Ａ）と蓋側本体部分（１Ｂ）とに亘って、摺接する円弧状ハウジング部（１３）、（１４）を介して形成され、前記ベース本体部分（１Ａ）と蓋側本体部分（１Ｂ）の所要角度の二つ折りに際しても通気が確保されるように構成されているのが好ましい。【００１４】  このように、前記電動モーター（２）及びファン（３）が前記ベース本体部分（１Ａ）に内蔵された場合において、通気路（４）が、二つ折りされる前記ベース本体部分（１Ａ）と蓋側本体部分（１Ｂ）とに亘って形成されるが、これを円弧状ハウジング部（１３）、（１４）の摺接でつなぐことで、簡単な構造でありながら、通気を確保するので、所望の角度の折り曲げ状態での空気流の排気方向の調節を行い得るのである。また、重量ある電動モーター（２）及びファン（３）もベース本体部分（１Ａ）に存在するので、蓋側本体部分（１Ｂ）を折り曲げ傾斜させても、テーブル上などでの設置を安定させることができる。【００１５】  更に、前記電動モーター（２）及びファン（３）が前記蓋側本体部分（１Ｂ）に内蔵され、且つ、前記吸引口（１Ｃ）と排出口（１Ｄ）及び前記通気路（４）が共に前記蓋側本体部分（１Ｂ）に設けられているのが好ましい。
このように構成したことで、前記蓋側本体部分（１Ｂ）を起立させた状態と、倒伏させた状態での煙草の煙の吸引、排気を行うことができ、その使用形態のバリエーションを高めることが可能である。
【実施例】
【００１６】  実施例１
本考案にかかる小型の草煙偏向装置の好適実施例について、図面に基づいて以下詳述する。
図１は、小型の草煙偏向装置の一使用状態を示す斜視図であり、図２は、その縦断側面図である。この装置は、卓上用又は携帯用として用い得る名刺程度の大きさの超小型のものとして構成されており、ここでは、全体は、幅７０ミリ、長さ１２０ミリ、折り畳み時の厚みが２５ミリ程度のものとして構成されている。【００１７】  そして、本体ケース１の内部に、超小型の電動モーター２と該電動モーター２を駆動するバッテリー６とが内蔵されている。この電動モーター２は、出力０．８ワット程度のものであり、バッテリー６は、これに見合う容量の小型のものである。
更に、前記電動モーター２によりファン３（軸流だが、シロッコタイプでもよい）を回転駆動させるように構成され、前記本体ケース１に設けられた電源スイッチ７は、ここでは、スライド方式のものであるが、プッシュ方式のものでもよい。前記ファン３の設定風速は、０．７〜１．５Ｍ／Ｓ程度である。【００１８】  前記本体ケース１に、その一側部１Ａから室内空気を吸引する吸引口１Ｃを設け、他側部１Ｂから排出する排出口１Ｄを設け、前記吸引口１Ｃと排出口１Ｄとを通気路４により接続してある。
そして、前記排出口１Ｄが、この実施例では、平面視で矩形状を呈するように形成され、当該排出口１Ｄから排風される空気流が横断面矩形状を呈する状態から、区画の整流板で誘導放出するように構成されている。勿論、この排出口１Ｄは、１本或いは複数本の円筒状の空気流が排気される形状に構成されてもよい。【００１９】  また、前記本体ケース１が、横軸心の枢支部Ｐ１で枢支連結された二つ折り可能なベース本体部分１Ａと蓋側本体部分１Ｂとから構成され、前記ベース本体部分１Ａに前記電動モーター２、ファン３、バッテリー６及び前記通気路４の一部が内蔵され、且つ、前記蓋側本体部分１Ｂには前記通気路４の一部が内蔵されている。前記枢支部Ｐ１では、前記蓋側本体部分１Ｂとベース本体部分１Ａとが円弧状ハウジング部１３、１４で摺接するように互いに重なり、回動しても通気路４が保持されるように構成されている。【００２０】  これらの互いに摺接する円弧状ハウジング部１３、１４は、前記枢支部Ｐ１を中心とした縦断面視で円弧を描くもので、これがベース本体部分１Ａと蓋側本体部分１Ｂの幅方向に伸びているのであり、その円弧内部が前記通気路４の一部を形成しているのである。
尚、前記ベース本体部分１Ａと前記蓋側本体部分１Ｂとに対する電動モーター２、ファン３等の部品の配置分担は、適宜選択して決定してよい。【００２１】  更に、図１及び図２に示すように、前記通気路４の排出口１Ｄは、区画の整流板で誘導するスリット状の吹き出し口に構成され、排出される空気の方向が調整される。【００２２】  本考案の小型の草煙偏向装置の一使用態様を図３に示す。喫茶店内に置かれた一つのテーブル１１に夫々、客が並んで着席しており、テーブル１１の一側方の客が喫煙者であり、他側方の客が非喫煙者（非喫煙者乃至受動喫煙者）であって、ここでは、草煙偏向装置は、この非喫煙者が使用している。勿論、隣人に煙害を与えたくないという喫煙者であれば、自ら草煙偏向装置を使用する場合もあろう。【００２３】  図３に示すように、テーブル１１に置かれたこの装置の蓋側本体部分１Ｂを、所要の角度に回動させて立ち上げ、電源スイッチ７を入れて、ファン３を回転させて、吸引口１Ｃから室内空気を吸引し、通気路４を通じて排出口１Ｄから略上方に排気する。この排出口１Ｄから所定の壁状に噴射された空気は、隣席から漂ってきた草煙を巻き込みながら上方へと誘導することができ、以って、非喫煙者が直接草煙に曝されるのを未然に回避できるのである。【００２４】  実施例２
図４及び図５は、上記装置の一部変形例を示す。
基本構成は、実施例１と同じであるが（実施例１の説明を援用し、省略する）、ここでは、電動モーター２及びファン３が蓋側本体部分１Ｂに設けられ、蓋側本体部分１Ｂの裏面側に吸引口１Ｃが、表面側に排出口１Ｄが設けられ、これらは、蓋側本体部分１Ｂが、所定の角度で立ち上げられた状態で使用される場合に機能するが、更に、次の構成が備わっている。【００２５】  即ち、ここでは、蓋側本体部分１Ｂが、ベース本体部分１Ａに対して折り畳まれ、重ねられた状態においても機能できるように、蓋側本体部分１Ｂの一側面及び他側面に吸引口１Ｅが設けられ、図５に示すように、ここから空気を吸入して、前記表面側の排出口１Ｄから排気するように構成されているのである。【００２６】  このような倒伏自在の２方式の空気吸引であると、装置として、常に蓋側本体部分１Ｂを起立させて使用しなければならないという制約がなくなり、草煙偏向装置としての実施の態様に幅が出て、使い勝手が良くなるのである。
【産業上の利用分野】
【００２７】  本考案は、省エネタイプの、且つ、一見しても草煙偏向装置と分かり難い超小型の装置であるので、卓上として、或いは直接に手に持って使用することもでき、従って、その使用場所を問わないものであるので、その応用範囲は広い。
【図面の簡単な説明】
【００２８】
【図１】本考案にかかる実施例１の小型の草煙偏向装置の全体の斜視図。
【図２】本考案にかかる小型の草煙偏向装置の要部の縦断側面図。
【図３】本考案にかかる小型の草煙偏向装置の一使用状態を示す斜視図。
【図４】本考案にかかる実施例２の小型の草煙偏向装置の一使用状態を示す縦断側面図。
【図５】本考案にかかる実施例２の小型の草煙偏向装置の別の使用状態を示す縦断側面図。
【符号の説明】
【００２９】１：本体ケース
１Ａ：ベース本体部分
１Ｂ：蓋側本体部分
１Ａ：本体ケースの一側部
１Ｂ：本体ケースの他側部
１Ｃ：吸引口
１Ｄ：排出口
２：電動モーター
３：ファン
４：通気路
５：排風偏向調節フィン
６：バッテリー
【図１】
0003160763.tif 000003
【図２】
0003160763.tif 000004
【図３】
0003160763.tif 000005
【図４】
0003160763.tif 000006
【図５】
0003160763.tif 000007